(57)【要約】      （修正有）【課題】食品、医薬品等の包装分野において、内容物の保存性を高めるための酸素遮蔽性の密閉包装容器であり、開封後に繰り返し再封することができ、残りの内容物を一定期間保管できる包装容器を提供する。【解決手段】蓋材と底材より形成される密封包装容器において、容器内に中蓋を設けて、蓋材の開封後に成形した底材と中蓋を嵌合させて包装容器を再封する。好ましくは１００μｍ以下の薄い蓋材を使用することによって、自動包装機による生産性、開封作業性に優れた再封可能な包装容器とすることができる。【選択図】図３
2005075458.tif 000002
【特許請求の範囲】
【請求項１】
蓋材と底材より形成される密封包装容器であって、容器内に中蓋を設けて、蓋材の開封後に中蓋と底材とを嵌合させて再封できることを特徴とする包装容器。
【請求項２】
蓋材の厚みが１００μm以下である請求項１記載の包装容器。  
【請求項３】
底材の成形ボトム部１周に凹み部分を設けて中蓋と嵌合させる請求項１または２記載の包装容器。
【請求項４】
底材の成形部の外側１周に溝状の凹み部分を設けて中蓋と嵌合させる請求項１または２記載の包装容器。
【発明の詳細な説明】
【技術分野】
【０００１】
本発明は食品、医薬品等の包装分野において、内容物の保存性を高めるための酸素遮蔽性の密封包装容器等において、開封後に繰り返し再封できる包装容器に関するものである。
【背景技術】
【０００２】
ハム、ソーセージ等の食肉加工食品、ハンバーグ、ミートボール、唐揚げ等の惣菜は酸素遮蔽性の包装材料を使用して、真空包装または不活性ガスを注入しながらシールして密封したガス置換包装が実施され、内容物の保存性を高めている。これらの包装形態は製品の流通、店頭での販売、購入後の使用者の保管に充分な保存期間が確保されており、製品の拡販に貢献し多くの製品で用いられている。一方で使用者は内容物の食品を一度に全量使用しきれずに、残った内容物を一定期間冷蔵庫等で保管する場合が多く、密閉できるプラスチック容器に移し替えたり、ラップで仮包装したりしていた。
【０００３】
これらの手間を省いて利便性を高めるために、例えば特許文献１のように蓋材として剛性の高い材料を使用し蓋材を成形して周縁部が底材に嵌合する形状とし、繰り返し再封することができる包装容器が考案された。
【０００４】
しかし、蓋材の剛性を持たせる為に厚みの厚い材料を用いることから包材コストが高くなる上に熱シールによる包装容器への加工時にシール温度を高く、またシール時間を長くすることが必要となり、生産性が著しく低下した。また、熱シールした部分を開封する際に蓋材シートの剛性が高いために開封作業性が悪いという問題も発生した。
【特許文献１】特開２０００−８５０６４号公報
【発明の開示】
【発明が解決しようとする課題】
【０００５】
本発明の目的とするところは、内容物の保存のための酸素遮断性の材料よりなる密封包装容器等において、使用時の開封作業性が良く、開封後繰り返し再封でき、自動包装機による生産性に優れており安価な包装容器を提供することである。
【課題を解決するための手段】
【０００６】
本発明は、
(1)  蓋材と底材より形成される密封包装容器であって、容器内に中蓋を設けて、蓋材の開封後に中蓋と底材とを嵌合させて再封できることを特徴とする包装容器、
(2)  蓋材の厚みが１００μm以下である（１）項記載の包装容器、  
(3)  底材の成形ボトム部１周に凹み部分を設けて中蓋と嵌合させる（１）又は（２）項記載の包装容器、
(4)  底材の成形部の外側１周に溝状の凹み部分を設けて中蓋と嵌合させる（１）又は（２）項記載の包装容器、
である。
【発明の効果】
【０００７】
本発明に従うと、内容物の保存のための酸素遮断性の優れた密封包装容器等において、開封作業性に優れるとともに繰り返し再封して内容物を必要量だけ使用して残りの内容物を一定期間保管できる包装容器を生産性の低下も無く安価に得ることが出来る。
【発明を実施するための最良の形態】
【０００８】
本発明は通常フォームフィルシールと呼ばれる、底材の成形工程、内容物の充填工程、真空またはガス置換するとともに蓋材と熱シールして密封する工程、最終製品形状への切断工程を連続して行う機械に適用して、内容物の充填後に予め成形して作成された中蓋を供給することにより、容易に実現でき効果的に用いられる。また、成形、充填、熱シール、切断の１工程または複数の工程を別ラインで実施する包装容器に対しても使用することができる。
【０００９】
本発明に用いられる底材の材質は特に限定されるものではなく、圧空または真空成形により成形ができ、酸素ガス遮蔽層を含む公知の多層フィルムまたはシートを用いることができる。例えば酸素ガス遮蔽層としてエチレンー酢酸ビニル共重合体ケン化物、ポリ塩化ビニリデン、外層としてポリエチレンテレフタレート、ポリ塩化ビニル樹脂、ポリプロピレン、ポリスチレン、シール層として低密度ポリエチレン、直鎖低密度ポリエチレン、中密度ポリエチレン、高密度ポリエチレン、ポリプロピレン、エチレン−酢酸ビニル共重合体などの層が共押出法またはドライラミネート法により積層されたものが用いられる。蓋材の材質も特に限定されるものではなく、底材との熱シールが可能な酸素ガス遮蔽層を含む公知の多層フィルムまたはシートを用いることができるが、１００μｍ以下の厚みのものを用いたほうが熱シール効率が良く生産性が向上する上に、開封作業性の向上、安価となることからも好ましい。
【００１０】
容器の開封時にはシール部分を刃物でカットして容器を開封することができるが、より容易に開封するためにはイージーオープンタイプの包装容器とすることが好ましく、凝集剥離、界面剥離、層間剥離等によりイージーオープン性を付与した公知のシール層材料の蓋材と底材の組み合わせのものを使用することも出きる。
【００１１】
中蓋は予め成形した包装容器よりも一回り以上小さいものを用いて、内容物の充填後に供給し、その後中蓋の外側で底材と蓋材を熱シールして密封される。包装容器の開封後に再封して使用する際には中蓋には酸素ガス遮蔽性が要求されないことから、剛性の高い材質の成形品が適しており、好ましくは低コスト面からポリエチレンテレフタレート、ポリスチレン、ポリプロピレン、ポリカーボネート、ポリ塩化ビニル樹脂などの汎用樹脂の単層シートの成形品が用いられる。
【実施例１】
【００１２】
図１は実施例１の底材側から見た平面図であり、図２は蓋材側を上にして側面から見た平面図、図３は蓋材側を上にしたＡ−Ａ‘面の断面図である。即ち、最外層よりポリプロピレン（０．２ｍｍ）／酸変性ポリプロピレン（０．０１ｍｍ）／エチレンー酢酸ビニル共重合体ケン化物（０．０２ｍｍ）／酸変性低密度ポリエチレン（０．０１ｍｍ）／直鎖低密度ポリエチレン（０．１６ｍｍ）の順に積層された厚さ０．４mmの多層シートを圧空成形し、主たる成形部に加えてフランジ部に図１、２の通り幅５ｍｍ、長さ３０ｍｍ、深さ５ｍｍの凹部を２箇所設けた。厚さ０．２ｍｍのポリプロピレン単層シートを底材の主たる成形部および凹部とほぼ同じ形状の高さ３ｍｍの凸型に成形した中蓋を嵌合させて、外層より酸化ケイ素蒸着二軸延伸ＰＥＴ（０．０１５ｍｍ）／ポリプロピレン（０．０４ｍｍ）／直鎖低密度ポリエチレン（０．００５ｍｍ）の順に積層された蓋材と熱シールして包装容器を得た。蓋材の層間剥離により容易に開封するとともに中蓋を成形された底材と嵌合させて繰り返し再封することができた。
【実施例２】
【００１３】
図４は実施例２の底材側から見た平面図であり、図５は蓋材側を上にして側面から見た平面図、図６は蓋材側を上にしたＢ−Ｂ‘面の断面図である。即ち、最外層よりポリプロピレン（０．２ｍｍ）／酸変性ポリプロピレン（０．０１ｍｍ）／エチレンー酢酸ビニル共重合体ケン化物（０．０２ｍｍ）／酸変性低密度ポリエチレン（０．０１ｍｍ）／直鎖低密度ポリエチレン（０．１６ｍｍ）の順に積層された厚さ０．４mmの多層シートを圧空成形し、主たる成形部のボトム部１周に図４、５の通り幅２ｍｍ、深さ３ｍｍの段状の成形を設けた。厚さ０．２ｍｍのポリプロピレン単層シートを底材の主たる成形部のボトム部とほぼ同じ大きさの高さ３ｍｍの凸型に成形した中蓋を嵌合させて、外層より酸化ケイ素蒸着二軸延伸ＰＥＴ（０．０１５ｍｍ）／ポリプロピレン（０．０４ｍｍ）／直鎖低密度ポリエチレン（０．００５ｍｍ）の順に積層された蓋材と熱シールして包装容器を得た。蓋材の層間剥離により容易に開封するとともに中蓋を成形された底材と嵌合させて繰り返し再封することができた。
【実施例３】
【００１４】
図７は実施例３の底材側から見た平面図であり、図８は蓋材側を上にして側面から見た平面図、図９は蓋材側を上にしたＣ−Ｃ‘面の断面図である。即ち、最外層よりポリプロピレン（０．２ｍｍ）／酸変性ポリプロピレン（０．０１ｍｍ）／エチレンー酢酸ビニル共重合体ケン化物（０．０２ｍｍ）／酸変性低密度ポリエチレン（０．０１ｍｍ）／直鎖低密度ポリエチレン（０．１６ｍｍ）の順に積層された厚さ０．４mmの多層シートを圧空成形し、主たる成形部に加えてその周囲のフランジ部に図７、８の通り幅５ｍｍ、深さ４ｍｍの凹部を設けた。厚さ０．２ｍｍのポリプロピレン単層シートを底材の主たる成形部および周囲の凹部とほぼ同じ形状の高さ３ｍｍの凸型に成形した中蓋を嵌合させて、外層より酸化ケイ素蒸着二軸延伸ＰＥＴ（０．０１５ｍｍ）／ポリプロピレン（０．０４ｍｍ）／直鎖低密度ポリエチレン（０．００５ｍｍ）の順に積層された蓋材と熱シールして包装容器を得た。蓋材の層間剥離により容易に開封するとともに中蓋を成形された底材と嵌合させて繰り返し再封することができた。
【産業上の利用可能性】
【００１５】
本発明の包装容器は内容物の保存性を高めるための酸素遮蔽性の密封包装容器であり、開封後に繰り返し再封できる包装容器に関するものである。
使用時に容易に開封して内容物を必要量取り出せ、食品等の消費者への流通形態として広く使用することができ、開封後に容易に再封できることから使い切るまでの一定期間の保管容器として活用することができる。
【図面の簡単な説明】
【００１６】
【図１】は実施例１の底材側から見た平面図である。
【図２】は実施例１の蓋材側を上にして側面から見た平面図である。
【図３】は実施例１の蓋材側を上にしたＡ−Ａ‘面の断面図である。
【図４】は実施例２の底材側から見た平面図である。
【図５】は実施例２の蓋材側を上にして側面から見た平面図である。
【図６】は実施例２の蓋材側を上にしたＢ−Ｂ‘面の断面図である。
【図７】は実施例３の底材側から見た平面図である。
【図８】は実施例３の蓋材側を上にして側面から見た平面図である。
【図９】は実施例３の蓋材側を上にしたＣ−Ｃ‘面の断面図である。
【符号の説明】
【００１７】
１  底材
２  蓋材
３  中蓋
４  シール部
５  嵌合部
【図１】
2005075458.tif 000003
【図２】
2005075458.tif 000004
【図３】
2005075458.tif 000005
【図４】
2005075458.tif 000006
【図５】
2005075458.tif 000007
【図６】
2005075458.tif 000008
【図７】
2005075458.tif 000009
【図８】
2005075458.tif 000010
【図９】
2005075458.tif 000011